(57)【特許請求の範囲】
【請求項１】
電子機器のユーザ情報を取得するユーザ情報取得手段と、
前記ユーザ情報に基づいて前記電子機器の機能設定態様を決定する設定態様決定手段と、
当該設定態様決定手段によって決定された前記機能設定態様を記憶する記憶手段と、
当該設定態様決定手段によって決定された機能設定態様に関する情報を前記電子機器に伝達する設定情報伝達手段と、
前記電子機器の機能設定態様が変更されたことを示す設定変更情報を取得する設定変更情報取得手段と、
前記設定変更情報取得手段にて取得した前記設定変更情報と前記ユーザ情報とに基づいて前記電子機器の機能設定態様が他の機能設定態様に変更された変更頻度を判定し、当該変更頻度に基づいて前記記憶手段に記憶されているユーザ層に対応した前記機能設定態様の更新を行なう設定態様更新手段と、
を備えることを特徴とする機能設定装置。
【請求項２】
複数のユーザ層に対応して前記機能設定態様を複数記憶する記憶手段をさらに備え、
前記設定態様決定手段は、前記ユーザ情報取得手段にて取得したユーザ情報に応じた機能設定態様を前記記憶手段に記憶されている複数の機能設定態様の中から選択することを特徴とする請求項１記載の機能設定装置。
【請求項３】
前記設定態様更新手段は、前記設定変更情報取得手段により取得される前記設定変更情報に基づいて、前記電子機器の機能設定態様の変更頻度を判定し、当該変更頻度に基づいて前記記憶手段に記憶されている、複数のユーザ層に対応した機能設定態様の更新を行なうことを特徴とする請求項２記載の機能設定装置。
【請求項４】
ユーザ情報を入力するための入力手段と、
当該入力手段により入力されたユーザ情報に基づいて、自身の機能設定態様を決定する設定態様決定手段と、
当該設定態様決定手段によって決定された機能設定態様に、前記自身の機能設定態様を変更する設定態様変更手段と、
前記設定態様変更手段によって自身の機能設定態様が変更されたことを示す設定変更情報を外部の機能設定装置に送信する通信手段と、
を備え、
前記通信手段は、前記設定変更情報を前記機能設定装置に送信した後、当該機能設定装置において、機能設定態様が他の機能設定態様に変更された変更頻度に基づいて更新された機能設定態様の情報を受信し、
前記設定態様変更手段は、前記通信手段が受信した機能設定態様の情報に基づいて機能設定態様を変更する
ことを特徴とする電子機器。
【請求項５】
複数のユーザ層に対応して前記機能設定態様を複数記憶する記憶手段をさらに備え、
前記設定態様決定手段は、前記入力手段により入力されたユーザ情報に応じた機能設定態様を前記記憶手段に記憶されている複数の機能設定態様の中から選択することを特徴とする請求項４記載の電子機器。
【請求項６】
ユーザ情報を入力するための入力手段と、当該入力手段により入力されたユーザ情報を機能設定装置に送信する第１通信手段と、当該第１通信手段を介して前記機能設定装置から受信した機能設定態様に関する情報に応じて、自身の機能設定態様を変更する設定態様変更手段とを備える電子機器と、
前記電子機器から送信されるユーザ情報を受信する第２の通信手段と、
当該第２の通信手段を介してユーザ情報を取得するユーザ情報取得手段と、
前記ユーザ情報に基づいて前記電子機器の機能設定態様を決定する設定態様決定手段と、
当該設定態様決定手段によって決定された前記機能設定態様を記憶する記憶手段と、
当該設定態様決定手段によって決定された機能設定態様に関する情報を、前記第２の通信手段を介して前記電子機器に伝達する設定情報伝達手段と
を備える機能設定装置と、
を具備し、
第１通信手段は、前記設定態様変更手段によって自身の機能設定態様が変更されたことを示す設定変更情報を外部の機能設定装置に送信し、前記設定変更情報を前記機能設定装置に送信した後、当該機能設定装置において更新された機能設定態様の情報を受信し、
前記設定態様変更手段は、前記第１通信手段が受信した機能設定態様の情報に基づいて機能設定態様を変更し、
前記機能設定装置は、
前記電子機器の機能設定態様が変更されたことを示す設定変更情報を取得する設定変更情報取得手段と、
前記設定変更情報取得手段にて取得した前記設定変更情報と前記ユーザ情報とに基づいて前記電子機器の機能設定態様が他の機能設定態様に変更された変更頻度を判定し、当該変更頻度に基づいて前記記憶手段に記憶されているユーザ層に対応した前記機能設定態様の更新を行ない、前記設定変更情報取得手段により取得される前記設定変更情報に基づいて機能設定態様を更新する
ことを特徴とする電子機器の機能設定システム。
【請求項７】
前記機能設定装置は、複数のユーザ層に対応して前記機能設定態様を複数記憶する記憶手段をさらに備え、前記設定態様決定手段は、前記ユーザ情報取得手段にて取得したユーザ情報に応じた機能設定態様を前記記憶手段に記憶されている複数の機能設定態様の中から選択することを特徴とする請求項６記載の電子機器の機能設定システム。
【請求項８】
前記電子機器は、前記入力手段を介して機能設定態様が変更された場合、当該機能設定態様の変更を示す設定変更情報を、前記第１通信手段を介して前記機能設定装置に送信し、
前記機能設定装置は、前記第２の通信手段を介して前記設定変更情報を取得する設定変更情報取得手段と、当該設定変更情報取得手段にて取得した前記設定変更情報と、前記ユーザ情報とに基づいて、前記記憶手段に記憶されている、複数のユーザ層に対応した機能設定態様の更新を行なう設定態様更新手段とをさらに備えることを特徴とする請求項７記載の電子機器の機能設定システム。
【請求項９】
前記機能設定装置における設定態様更新手段は、取得される前記設定変更情報に基づいて、前記電子機器の機能設定態様の変更頻度を判定し、当該変更頻度に基づいて前記記憶手段に記憶されている、複数のユーザ層に対応した機能設定態様の更新を行なうことを特徴とする請求項８記載の電子機器の機能設定システム。
【請求項１０】
電子機器のユーザ情報を取得する第１ステップと、
前記ユーザ情報に基づいて前記電子機器の機能設定態様を決定する第２ステップと、
当該第２ステップにて決定された機能設定態様に関する情報を前記電子機器に伝達する第３ステップと、
前記電子機器の機能設定態様を、前記第３ステップにて伝達された機能設定態様に関する情報に応じて変更する第４ステップと、
自身の機能設定態様が変更されたことを示す設定変更情報を外部の機能設定装置に送信する第５ステップと、
前記設定変更情報とユーザ情報とを前記機能設定装置に送信した後、当該機能設定装置において、機能設定態様が他の機能設定態様に変更された変更頻度に基づいてユーザ層に応じて更新された機能設定態様の情報を受信する第６ステップと、
受信した機能設定態様の情報に基づいて機能設定態様を変更する第７ステップと、
を備えることを特徴とする電子機器の機能設定方法。
【発明の詳細な説明】
【技術分野】
【０００１】
本発明は、機能設定装置、電子機器、電子機器の機能設定システム及び電子機器の機能設定方法に関する。
【背景技術】
【０００２】
従来より、携帯電話機等の無線通信端末において、画面表示や操作に関する機能設定態様（操作キーの割り当てや、文字の大きさや背景色等）を、ユーザ毎に端末操作によって行なうことで、利用しやすいようにカスタマイズすることが一般的である。近年の端末の多機能化に伴い、上記のような機能設定に係る操作は非常に複雑化しており、機能設定に不慣れなユーザはマニュアルを見ながら端末を操作する必要がある。しかしながら、マニュアル自体も複雑化し、専門用語が使用されている場合が多いため理解が難しく、特に高齢者等の端末操作に不慣れなユーザにとって機能設定が困難であった。
【０００３】
このような問題を解決するために、例えば、下記特許文献１において、携帯情報端末の機能設定態様を管理サーバにアップロードし、当該機能設定情報用のデータベースに記憶させ、必要に応じて機能設定情報をユーザの携帯情報端末にダウンロードすることにより、当該携帯情報端末の機能設定を容易に行える技術が開示されている。
【特許文献１】特開２００２−２８１１５５号公報
【発明の開示】
【発明が解決しようとする課題】
【０００４】
しかしながら、上記特許文献１の技術によると、携帯情報端末の機能設定を行う際の初期設定をユーザが行う必要があり、ユーザにとって負担となっていた。また、一般的に適正な設定か否かを自身で判断することができず、ユーザにとって不適切な設定となっている可能性もあった。
【０００５】
本発明は、上述した事情に鑑みてなされたものであり、従来よりも、電子機器の機能設定をユーザに適した設定に容易に設定可能とすることを目的とする。
【課題を解決するための手段】
【０００６】
上記目的を達成するために、本発明に係る機能設定装置は、電子機器のユーザ情報を取得するユーザ情報取得手段と、前記ユーザ情報に基づいて前記電子機器の機能設定態様を決定する設定態様決定手段と、当該設定態様決定手段によって決定された前記機能設定態様を記憶する記憶手段と、当該設定態様決定手段によって決定された機能設定態様に関する情報を前記電子機器に伝達する設定情報伝達手段と、前記電子機器の機能設定態様が変更されたことを示す設定変更情報を取得する設定変更情報取得手段と、前記設定変更情報取得手段にて取得した前記設定変更情報と前記ユーザ情報とに基づいて前記電子機器の機能設定態様が他の機能設定態様に変更された変更頻度を判定し、当該変更頻度に基づいて前記記憶手段に記憶されているユーザ層に対応した前記機能設定態様の更新を行なう設定態様更新手段と、を備えることを特徴とする。
【０００７】
また、複数のユーザ層に対応して前記機能設定態様を複数記憶する記憶手段をさらに備え、前記設定態様決定手段は、前記ユーザ情報取得手段にて取得したユーザ情報に応じた機能設定態様を前記記憶手段に記憶されている複数の機能設定態様の中から選択することを特徴とする。
【０００９】
また、前記設定態様更新手段は、前記設定変更情報取得手段により取得される前記設定変更情報に基づいて、前記電子機器の機能設定態様の変更頻度を判定し、当該変更頻度に基づいて前記記憶手段に記憶されている、複数のユーザ層に対応した機能設定態様の更新を行なうことを特徴とする。
【００１０】
本発明に係る電子機器は、ユーザ情報を入力するための入力手段と、当該入力手段により入力されたユーザ情報に基づいて、自身の機能設定態様を決定する設定態様決定手段と、当該設定態様決定手段によって決定された機能設定態様に、前記自身の機能設定態様を変更する設定態様変更手段と、前記設定態様変更手段によって自身の機能設定態様が変更されたことを示す設定変更情報を外部の機能設定装置に送信する通信手段と、を備え、前記通信手段は、前記設定変更情報を前記機能設定装置に送信した後、当該機能設定装置において、機能設定態様が他の機能設定態様に変更された変更頻度に基づいて更新された機能設定態様の情報を受信し、前記設定態様変更手段は、前記通信手段が受信した機能設定態様の情報に基づいて機能設定態様を変更することを特徴とする。
【００１１】
また、複数のユーザ層に対応して前記機能設定態様を複数記憶する記憶手段をさらに備え、前記設定態様決定手段は、前記入力手段により入力されたユーザ情報に応じた機能設定態様を前記記憶手段に記憶されている複数の機能設定態様の中から選択することを特徴とする。
【００１２】
本発明に係る電子機器の機能設定システムは、ユーザ情報を入力するための入力手段と、当該入力手段により入力されたユーザ情報を機能設定装置に送信する第１通信手段と、当該第１通信手段を介して前記機能設定装置から受信した機能設定態様に関する情報に応じて、自身の機能設定態様を変更する設定態様変更手段とを備える電子機器と、前記電子機器から送信されるユーザ情報を受信する第２の通信手段と、当該第２の通信手段を介してユーザ情報を取得するユーザ情報取得手段と、前記ユーザ情報に基づいて前記電子機器の機能設定態様を決定する設定態様決定手段と、当該設定態様決定手段によって決定された前記機能設定態様を記憶する記憶手段と、当該設定態様決定手段によって決定された機能設定態様に関する情報を、前記第２の通信手段を介して前記電子機器に伝達する設定情報伝達手段とを備える機能設定装置と、を具備し、第１通信手段は、前記設定態様変更手段によって自身の機能設定態様が変更されたことを示す設定変更情報を外部の機能設定装置に送信し、前記設定変更情報を前記機能設定装置に送信した後、当該機能設定装置において更新された機能設定態様の情報を受信し、前記設定態様変更手段は、前記第１通信手段が受信した機能設定態様の情報に基づいて機能設定態様を変更し、前記機能設定装置は、前記電子機器の機能設定態様が変更されたことを示す設定変更情報を取得する設定変更情報取得手段と、前記設定変更情報取得手段にて取得した前記設定変更情報と前記ユーザ情報とに基づいて前記電子機器の機能設定態様が他の機能設定態様に変更された変更頻度を判定し、当該変更頻度に基づいて前記記憶手段に記憶されているユーザ層に対応した前記機能設定態様の更新を行ない、前記設定変更情報取得手段により取得される前記設定変更情報に基づいて機能設定態様を更新することを特徴とする。
【００１３】
また、前記機能設定装置は、複数のユーザ層に対応して前記機能設定態様を複数記憶する記憶手段をさらに備え、前記設定態様決定手段は、前記ユーザ情報取得手段にて取得したユーザ情報に応じた機能設定態様を前記記憶手段に記憶されている複数の機能設定態様の中から選択することを特徴とする。
【００１４】
また、前記電子機器は、前記入力手段を介して機能設定態様が変更された場合、当該機能設定態様の変更を示す設定変更情報を、前記第１の通信手段を介して前記機能設定装置に送信し、前記機能設定装置は、前記第２の通信手段を介して前記設定変更情報を取得する設定変更情報取得手段と、当該設定変更情報取得手段にて取得した前記設定変更情報と、前記ユーザ情報とに基づいて、前記記憶手段に記憶されている、複数のユーザ層に対応した機能設定態様の更新を行なう設定態様更新手段とをさらに備えることを特徴とする。
【００１５】
また、前記機能設定装置における設定態様更新手段は、取得される前記設定変更情報に基づいて、前記電子機器の機能設定態様の変更頻度を判定し、当該変更頻度に基づいて前記記憶手段に記憶されている、複数のユーザ層に対応した機能設定態様の更新を行なうことを特徴とする。
【００１６】
本発明に係る電子機器の機能設定方法は、電子機器のユーザ情報を取得する第１ステップと、前記ユーザ情報に基づいて前記電子機器の機能設定態様を決定する第２ステップと、当該第２ステップにて決定された機能設定態様に関する情報を前記電子機器に伝達する第３ステップと、前記電子機器の機能設定態様を、前記第３ステップにて伝達された機能設定態様に関する情報に応じて変更する第４ステップと、自身の機能設定態様が変更されたことを示す設定変更情報を外部の機能設定装置に送信する第５ステップと、前記設定変更情報とユーザ情報とを前記機能設定装置に送信した後、当該機能設定装置において、機能設定態様が他の機能設定態様に変更された変更頻度に基づいてユーザ層に応じて更新された機能設定態様の情報を受信する第６ステップと、受信した機能設定態様の情報に基づいて機能設定態様を変更する第７ステップと、を備えることを特徴とする。
【発明の効果】
【００１７】
本発明によれば、取得されたユーザ情報に基づいて電子機器の機能設定態様が決定され、当該決定された機能設定態様に変更されるので、電子機器の機能設定を容易に行なうことができる。また、ユーザ情報に基づいて設定されるため、概ねユーザに好適な機能設定を行うことができる。
【発明を実施するための最良の形態】
【００１８】
以下、図面を参照して、本発明の一実施形態について説明する。図１は、本発明の実施形態に係る電子機器の機能設定システムの構成概略図である。この図に示すように、本実施形態では、電子機器として、基地局ＢＳとの無線通信によりＩＰ網等のネットワークＮと通信接続可能な携帯電話機等の無線通信端末（ユーザ端末ＵＴ）を想定し、機能設定装置として、上記ユーザ端末ＵＴとネットワークＮを介して通信を行なう機能設定サーバＳＶを想定して説明する。
【００１９】
図２は、上記ユーザ端末ＵＴの構成ブロック図である。この図に示すように、ユーザ端末ＵＴは、無線通信部１（第１の通信手段）、キー入力部２（入力手段）、表示部３、音声入出力部４、カメラ部５、制御部６（設定態様変更手段）及び記憶部７から構成されている。
【００２０】
無線通信部１は、制御部６による制御の下、所定の通信方式、例えばＣＤＭＡ（Code Division Multiple Access）方式等を用いて基地局ＢＳとの間で音声信号や電子メール等のデータ信号に関する無線通信を行うものである。キー入力部２は、ダイヤルキー、ファンクションキー、電源キー等の各種操作キーから構成されており、これら操作キーの操作情報を操作信号として制御部６に出力する。表示部３は、例えば液晶ディスプレイや有機ＥＬディスプレイ等であり、制御部６から入力される表示信号に基づいて各種メッセージや画像等を表示する。音声入出力部４は、マイク及びスピーカから構成されており、外部から入力された音声を音声信号に変換して制御部６に出力する一方、制御部６から入力される音声信号に基づいて音声やサウンドを外部に出力する。カメラ部５は、例えばＣＣＤ（Charge Coupled Device）カメラであり、制御部６の制御の下、撮影した画像の画像信号を制御部６に出力する。
【００２１】
制御部６は、記憶部７に予め記憶された所定の制御プログラム及び機能設定態様（着信音の種類や音量、画面の背景色や表示文字サイズ等）や、キー入力部２から入力される操作信号及び無線通信部１の通信状態等に基づいて、ユーザ端末ＵＴの全体動作を制御するものである。また、詳細は後述するが、この制御部６は、機能設定サーバＳＶから無線通信部１を介してダウンロードされる新たな機能設定態様に関する情報（プリセットデータ）を記憶部７に記憶すると共に、当該プリセットデータに基づいて、表示部３や音声入出力部４などの機能設定態様を制御する。記憶部７は、例えばフラッシュメモリであり、上記制御部６で使用される制御プログラム、機能設定態様の情報、その他の各種データを記憶する。
【００２２】
一方、図３は、機能設定サーバＳＶの構成ブロック図である。この図に示すように、機能設定サーバＳＶは、データ送受信部１０（第２の通信手段）、ユーザ情報取得部１１、設定態様決定部１２（設定態様決定手段）、機能設定態様データベース１３（記憶手段）、設定情報伝達部１４（設定情報伝達手段）、設定変更情報取得部１５（設定変更情報取得手段）、個人設定情報データベース１６及び設定態様更新部１７（設定態様更新手段）から構成されている。
【００２３】
データ送受信部１０は、ネットワークＮ及び基地局ＢＳを介してユーザ端末ＵＴとのデータ送受信を行なう。ユーザ情報取得部１１は、上記データ送受信部１０にて受信した受信データからユーザ端末ＵＴのユーザ情報を取得し、当該ユーザ情報を設定態様決定部１２に出力する。設定態様決定部１２は、上記ユーザ情報に応じた機能設定態様を、機能設定態様データベース１３に記憶されている複数の機能設定態様の中から決定する。つまり、機能設定態様データベース１３は、予め複数のユーザ層に対応した機能設定態様を記憶している。
【００２４】
図４は、上記機能設定態様データベース１３に記憶されている、複数のユーザ層に対応した機能設定態様の一例である。この図に示すように、ユーザ層のカテゴリーとして、「性別」及び「年齢」というユーザ情報の組み合わせによって分類し、各カテゴリー毎の機能設定態様として、「着信音量」、「着信音」、「背景色」、「前景色」、「Ｗｅｂ文字サイズ」、「メール文字サイズ」等が設定されている。なお、初期状態において、これらの機能設定態様としては、各ユーザ層のカテゴリー毎に推定される標準的な設定値が記憶されている。また、図４は、ユーザ層のカテゴリーとして、「性別」と「年齢」との組み合わせによって分類したものを例示したが、これに限定されず、例えば、「職業」、「地域」、「趣味」等、他のユーザ情報を用いて分類しても良い。さらに、機能設定態様の種類も上述したものに限定されない。
【００２５】
図３に戻って説明すると、設定情報伝達部１４は、上記設定態様決定部１２にて決定された機能設定態様に関する情報を示すプリセットデータを生成し、当該プリセットデータをデータ送受信部１０を介してユーザ端末ＵＴに送信する。設定変更情報取得部１５は、上記データ送受信部１０にて受信した受信データから、ユーザ端末ＵＴにおいて機能設定態様が変更されたことを示す設定変更情報を取得し、当該設定変更情報に基づいて、個人設定情報データベース１６に記憶されている、各ユーザ毎の機能設定態様の履歴情報を更新する。ここで、各ユーザ毎の機能設定態様の履歴情報とは、図５に示すように、本電子機器の機能設定システムによるサービスに加入しているユーザが、ある機能設定を開始または解除した時間と設定期間の履歴情報である。つまり、個人設定情報データベース１６は、上述した各ユーザ毎の機能設定態様の履歴情報を記憶している。なお、詳細は後述するが、設定変更情報取得部１５は、ユーザ端末ＵＴの初期起動時において、当該ユーザ端末ＵＴから送信される初期状態の機能設定態様に基づいて、各ユーザ毎の機能設定態様の履歴情報を作成する機能を有している。
【００２６】
設定態様更新部１７は、常時、または一定期間毎に、上記個人設定情報データベース１６に記憶されている各ユーザ毎の機能設定態様の履歴情報の統計的な集計を行い、当該集計結果に基づいて、機能設定態様データベース１３に記憶されている各ユーザ層のカテゴリー毎の機能設定態様の更新を行なう。
【００２７】
次に、このように構成された本電子機器の機能設定システムの動作について、図６〜図８のフローチャートを用いて説明する。
【００２８】
＜ユーザ端末ＵＴの初期起動時における動作＞
図６は、ユーザ端末ＵＴの初期起動時における動作フローチャートである。
まず、ユーザ端末ＵＴの初期起動時において、制御部６は、機能設定態様の履歴情報の集計を行なっても良いか否かを確認するための、初期起動画面を表示部３に表示させる（ステップＳ１）。ユーザは、上記初期起動画面を見て、機能設定態様の履歴情報の集計を行なっても良いか否かを判断し、キー入力部２を操作することによって、上記集計の可否を決定する。制御部６は、キー入力部２からの操作信号に基づいて、ユーザが上記集計の可否のいずれかを選択したかを判定し（ステップＳ２）、「YES」、つまり上記集計を行なっても良いと判定した場合、制御部６は、ユーザ情報入力画面を表示部３に表示させる（ステップＳ３）。一方、上記ステップＳ２において、「No」、つまり上記集計を行なうことを拒否された場合、制御部６は、通常の初期起動動作を行い、待ち受け状態に移行する（ステップＳ４）。
【００２９】
上記ステップＳ３において、ユーザ情報入力画面が表示されると、ユーザは、キー入力部２を操作することによって、上記ユーザ情報入力画面の指示に従い、ユーザ情報として例えば「性別」及び「年齢」を入力する。そして、制御部６は、キー入力部２を介して取得したユーザ情報を、サービス開始要求と共に無線通信部１を介して機能設定サーバＳＶに送信する（ステップＳ５）。
【００３０】
機能設定サーバＳＶは、上記サービス開始要求の応答をユーザ端末ＵＴに返送し（ステップＳ６）、ユーザ端末ＵＴの制御部６は、記憶部７に記憶されている初期状態の機能設定態様に関する情報を、無線通信部１を介して機能設定サーバＳＶに送信する（ステップＳ７）。そして、機能設定サーバＳＶにおいて、設定変更情報取得部１５は、データ送受信部１０を介して上記ユーザ端末ＵＴの初期状態における機能設定態様に関する情報を取得して、各ユーザ毎の機能設定態様の履歴情報を作成し、個人設定情報データベース１６に記憶する（ステップＳ８）。以上のように、ユーザ端末ＵＴの初期起動時では、機能設定態様の履歴情報の集計を許可したユーザのみ、機能設定サーバＳＶの個人設定情報データベース１６に機能設定態様の履歴情報を持つことになる。
【００３１】
＜プリセットデータのダウンロード時の動作＞
図７は、プリセットデータのダウンロード時における動作フローチャートである。
機能設定サーバＳＶのユーザ情報取得部１１は、上述したように、データ送受信部１０を介して、ユーザ端末ＵＴからユーザ情報を取得すると、当該ユーザ情報を設定態様決定部１２に出力する。設定態様決定部１２は、上記ユーザ情報に応じた機能設定態様を、機能設定態様データベース１３に予め記憶されている機能設定態様（図４参照）の中から決定する（ステップＳ１０）。設定情報伝達部１４は、上記設定態様決定部１２にて決定された機能設定態様に関する情報を示すプリセットデータを生成し、当該プリセットデータをデータ送受信部１０を介してユーザ端末ＵＴにダウンロードする（ステップＳ１１）。
【００３２】
なお、ステップＳ１０の前に、図４に示すような機能設定態様の中から、ユーザ情報に基づいていくつかのプリセットデータの候補を選定し、ユーザ端末ＵＴにおいてプリセットデータの候補の閲覧画像を表示させ、ユーザにこれら候補の中から所望のプリセットデータを選択させるようにしても良い。
【００３３】
ユーザ端末ＵＴにおいて、制御部６は、機能設定サーバＳＶから無線通信部１を介してダウンロードされた新たな機能設定態様に関する情報（プリセットデータ）を記憶部７に記憶すると共に、当該プリセットデータに基づいて、表示部３や音声入出力部４などの機能設定態様を制御する。つまり、新たにユーザ情報に応じた機能設定（プリセットデータ設定）が行われることになる（ステップＳ１２）。そして、制御部６は、無線通信部１を介して、機能設定態様が変更されたことを示す設定変更情報を機能設定サーバＳＶに送信する（ステップＳ１３）。機能設定サーバＳＶの設定変更情報取得部１５は、データ送受信部１０を介して取得した上記設定変更情報に基づいて、個人設定情報データベース１６に記憶されている、各ユーザ毎の機能設定態様の履歴情報を更新する（ステップＳ１４）。この時、図５に示すように、変更前と変更後との機能設定態様の差分を取り、変更があった機能設定態様のみを履歴として更新すること望ましい。これにより、個人設定情報データベース１６の記憶容量を削減し、コスト低減を図ることができる。
【００３４】
以上のように、予め機能設定態様を様々なユーザ層に対応させて用意しておき、取得されたユーザ情報に基づいてユーザ端末ＵＴの機能設定態様を決定し、当該決定された機能設定態様に変更することで、ユーザ端末ＵＴの機能設定を容易に行なうことができる。また、ユーザ情報に基づいて設定されるため、概ねユーザに好適な機能設定を行うことができる（例えば、ユーザが高齢者ならば大きい文字を表示し、また、メールヘビーユーザならば入力文字フォントを極小にする等）。
【００３５】
＜機能設定態様の履歴情報の集計時における動作＞
図８は、機能設定態様の履歴情報の集計時における動作フローチャートである。まず、ユーザが、ユーザ端末ＵＴのキー入力部２を操作して、機能設定態様の変更を行なった場合（ステップＳ２０）、制御部６は、無線通信部１を介して、機能設定態様が変更されたことを示す設定変更情報を機能設定サーバＳＶに送信する（ステップＳ２１）。機能設定サーバＳＶの設定変更情報取得部１５は、データ送受信部１０を介して取得した上記設定変更情報に基づいて、個人設定情報データベース１６に記憶されている、各ユーザ毎の機能設定態様の履歴情報を更新する（ステップＳ２２）。これらステップＳ２１及びＳ２２は、上述した図７におけるステップＳ１３及びＳ１４と同様である。つまり、ユーザによって機能設定態様が変更された場合と、プリセットデータのダウンロードによって機能設定態様が変更された場合とのいずれの場合であっても、機能設定態様の履歴情報は更新されることになる。
【００３６】
そして、設定態様更新部１７は、常時、または一定期間毎に、上記個人設定情報データベース１６に記憶されている各ユーザ毎の機能設定態様の履歴情報の統計的な集計を行い、当該集計結果に基づいて、機能設定態様データベース１３に記憶されている各ユーザ層のカテゴリー毎の機能設定態様の更新を行なう（ステップＳ２３）。より具体的には、例えば、機能設定を変更するまでの期間（時間間隔）が短かったり、変更するユーザが多い場合（変更頻度が大きい場合）には、そのユーザ層にマッチしていない設定と判断して、機能設定態様データベース１３に記憶されている機能設定態様を更新し、一方、ユーザによって変更されない期間が長かったり、変更するユーザが少ない場合（変更頻度が小さい場合）には、そのユーザ層にマッチしていると判断して、機能設定態様データベース１３に記憶されている機能設定態様を更新しないようにする。このように、各ユーザ層のカテゴリー毎に、機能設定態様の平均化を図ることにより、プリセットデータの有効性を高め、本システムを利用する新規サービス加入者は、初期起動時（プリセットデータのダウンロード時）において、より自己にフィットした機能設定を自動的に行うことが可能となる。
【００３７】
以上のように、本実施形態によれば、取得されたユーザ情報に基づいて、ユーザ端末ＵＴの機能設定を容易に行なうことができ、且つユーザに好適な機能設定を行うことができるだけでなく、各ユーザ毎の機能設定態様の履歴情報の統計的な集計結果に基づいて、各ユーザ層のカテゴリー毎の機能設定態様の更新を行なうことにより、本システムを利用する新規サービス加入者に対してより最適な機能設定を提供することが可能となる。
【００３８】
また、個人設定情報データベース１６に、各ユーザ毎の所定期間における機能設定態様を記憶させ、ユーザの誤操作によりユーザ端末ＵＴの機能設定態様が変わってしまった場合に、上記各ユーザ毎の機能設定態様に関する情報をユーザ端末ＵＴにダウンロードする構成を採用することで、容易に元の設定に戻すことが可能である。
【００３９】
なお、上記実施形態では、ユーザ情報をキー入力部２の操作によって入力したが、これに限定されず、例えば、生体認識（顔認識や指紋認識、静脈認識等）によってユーザ情報を取得するような構成にしても良い。
【００４０】
また、上記実施形態では、電子機器として無線通信端末を例示して説明したが、これに限定されず、他の機能設定態様を変更可能な電子機器であれば本発明を適用可能である。また、無線通信に限らず、有線通信によって機能設定装置から電子機器へ機能設定に関する情報（プリセットデータ）をダウンロードするような構成にしても良い。
【００４１】
また、上記実施形態では、機能設定装置から機能設定態様に関する情報を電子機器にダウンロードする場合について説明したが、例えば、外部から機能設定態様に関する情報をダウンロードするのではなく、電子機器の記憶部に、予め複数のユーザ層に対応した機能設定態様を記憶しておき、
入力手段による入力などにより取得されたユーザ情報に基づいて、自身の機能設定態様を決定する設定態様決定手段と、当該設定態様決定手段によって決定された機能設定態様に変更する設定態様変更手段とを電子機器に備えても良い。このような構成の電子機器によれば、外部から機能設定態様に関する情報をダウンロードすることなく、取得されたユーザ情報に基づいて、電子機器の機能設定を容易に行なうことができ、且つユーザに好適な機能設定を行うことができる。ただし、このような方法によると、上述のような、各ユーザ毎の機能設定態様の履歴情報の統計的な集計結果に基づいて、各ユーザ層のカテゴリー毎の機能設定態様の更新を行なうことはできない。
【図面の簡単な説明】
【００４２】
【図１】本発明の一実施形態における電子機器の機能設定システムの構成概略図である。
【図２】本発明の一実施形態におけるユーザ端末ＵＴ（電子機器）の構成ブロック図である。
【図３】本発明の一実施形態における機能設定サーバＳＶ（機能設定装置）の構成ブロック図である。
【図４】本発明の一実施形態における機能設定態様データベース１３に記憶されている各ユーザ層のカテゴリー毎の機能設定態様の一例である。
【図５】本発明の一実施形態における個人設定情報データベース１６に記憶されている各ユーザ毎の機能設定態様の履歴情報の一例である。
【図６】本発明の一実施形態における電子機器の機能設定システムの動作を示す第１のフローチャートである。
【図７】本発明の一実施形態における電子機器の機能設定システムの動作を示す第２のフローチャートである。
【図８】本発明の一実施形態における電子機器の機能設定システムの動作を示す第３のフローチャートである。
【符号の説明】
【００４３】
ＵＴ…ユーザ端末、１…無線通信部、２…キー入力部、３…表示部、４…音声出力部、５…カメラ部、６…制御部、７…記憶部、ＳＶ…機能設定サーバ、１０…データ送受信部、１１…ユーザ情報取得部、１２…設定態様決定部、１３…機能設定態様データベース、１４…設定情報伝達部、１５…設定変更情報取得部、１６…個人設定情報データベース、１７…設定態様更新部、ＢＳ…基地局、Ｎ…ネットワーク
【図１】
0005185507.tif 000002
【図２】
0005185507.tif 000003
【図３】
0005185507.tif 000004
【図４】
0005185507.tif 000005
【図５】
0005185507.tif 000006
【図６】
0005185507.tif 000007
【図７】
0005185507.tif 000008
【図８】
0005185507.tif 000009